(57)【要約】【課題】廃棄時などにおけるキャップ側と容器側との分別を容易としながら、容器の開封の有無を確実に認識できるようにする。【解決手段】リング体２は、リング内周部に、傾斜状に突き出した弾性翼片２１を有し、また、リング外周部に、キャップ本体１の筒下端に設けられた割溝１３に入り込んでその一部を外側に露出させた表示部２３を有している。容器上部ＹａへのキャップＣｐのネジ付け時には、容器上部Ｙａに形成された接触部Ｙｄに対しリング体２の弾性翼片２１はその一端２１ａ側を先にして弾性変形しながら押し当てられ、キャップ本体１との一緒になった回転が許容される。一旦容器上部Ｙａにネジ付けられたキャップＣｐを取り外す操作時には、接触部Ｙｄにリング体２の弾性翼片２１の他端２１ｂが突き当てられ、これによりリング体２の回転が阻止され、表示部２３の一部２３ａが破断されるようになっている。【選択図】        図２
2005008174.tif 000002
【特許請求の範囲】
【請求項１】
瓶状ないしはボトル状をなす容器のキャップであって、
筒上端を閉塞させ、筒下端を開放させた筒状をなすキャップ本体と、
リング体とを備えており、
キャップ本体は、筒状をなす容器上部にネジ付けられてこの容器上部の開放口を閉塞された筒上端によって塞ぐように構成されていると共に、
キャップ本体とリング体とは、このキャップ本体及びリング体のいずれか一方を他方に先行させてプラスチックの射出成形により成形することによって、又は、キャップ本体の筒下端側からキャップ本体内にリング体をはめ入れることにより、このキャップ本体の筒下端側の内面にリング体の外面を密着させ、かつ、リング体の外面を案内としたキャップ本体の回転を許容させた状態で一体化されており、
リング体は、リング内周部に、一端をこのリング内周部に一体に接合させると共に、他端に向かうに連れて次第にリング内周面から離れ出すように傾斜状に突き出した弾性翼片を有すると共に、
リング外周部に、キャップ本体の筒下端に設けられると共にこの筒下端において下方に開放された割溝に入り込んでその一部をキャップ本体の外側に露出させた未開封状態を視認させる表示部とを有しており、
容器上部へのキャップのネジ付け時には、この容器上部の基部側に形成された接触部に対しリング体の弾性翼片はその一端側の外面を先にして弾性変形しながら押し当てられ、リング体とキャップ本体との一緒になった回転が許容されるようにしてあると共に、
一旦容器上部にネジ付けられたキャップを取り外す操作時には、前記接触部にリング体の弾性翼片の他端が突き当てられるようになっており、
この突き当たりによってリング体の回転が阻止されると共に、この突き当たり後のキャップ本体の回転に伴って生じる外力によって前記表示部における前記露出された一部が破断されるようになっていることを特徴とする瓶状ないしはボトル状をなす容器のキャップ。
【請求項２】
キャップ本体の筒下端側の内面部及びリング体の外面部であって表示部の形成位置よりも上方となる位置のいずれか一方に、周回溝及びこの周回溝に納まってリング体の脱落を阻止する掛合突部のいずれか一方が形成されていると共に、
キャップ本体の筒下端側の内面部及びリング体の外面部であって表示部の形成位置よりも上方となる位置の他方に、周回溝及びこの周回溝に納まってリング体の脱落を阻止する掛合突部の他方が形成されていることを特徴とする請求項１記載の瓶状ないしはボトル状をなす容器のキャップ。
【請求項３】
キャップ本体とリング体とが異なる色彩を持つようにしてあることを特徴とする請求項１又は請求項２記載の瓶状ないしはボトル状をなす容器のキャップ。
【請求項４】
表示部が、頭部と頸部とを備え頸部をこのリング外周部に一体に接合させると共に、キャップ本体の筒下端において下方に開放された割溝にこの頸部を入れ込ませて頭部をキャップ本体の外側に露出させるように構成されていることを特徴とする請求項１から請求項３のいずれか１項に記載の瓶状ないしはボトル状をなす容器のキャップ。
【発明の詳細な説明】
【０００１】
【発明の属する技術分野】
この発明は、容器の容器上部にネジ付けられて、この容器上部の開放口を封止すると共に、ネジ付けられたキャップの最初の取り外し操作に伴って、キャップの一部を分離させて、その後はこの容器が既に開封されたものであることを確実に認識させる機能を備えたキャップの改良に関する。
【０００２】
【従来の技術】
容器の容器上部にネジ付けられて、この容器上部の開放口を封止すると共に、ネジ付けられた蓋の最初の取り外し操作に伴って、蓋に脆弱性ブリッジを介して結合させた不正開封表示バンドをこの脆弱性ブリッジの破断によって脱落させて、その後はこの容器が既に開封されたものであることを認識させる機能を備えた包装構造として、特許文献１に示されるものがある。
【０００３】
【特許文献１】
特公平５−３０６９９号公報
【０００４】
【発明が解決しようとする課題】
しかるに、特許文献１の包装構造にあっては、容器のネックに不正開封表示バンドを常時残させるものであった。すなわち、容器の廃棄などにおいて容器と蓋とを分別しようとする場合、本来蓋の一部であった前記バンドを容器側から単純に取り外し難いものであった。例えば、容器がガラス製で蓋がプラスチック製の場合や、容器と蓋とが共にプラスチック製であるがその材質が異なる場合、こうした分別が必要となるが、かかる包装構造にあっては、かかる分別を容易になし難いものであった。
【０００５】
そこで、この発明は、この種の包装構造を構成するキャップにおいて、廃棄時などにおけるキャップ側と容器側との分別を容易としながら、容器の開封の有無を確実に認識できるようにすることを主たる目的とする。
【０００６】
【課題を解決するための手段】
前記目的を達成するために、請求項１記載の発明にあっては、瓶状ないしはボトル状をなす容器のキャップが以下の（１）〜（１０）の構成を備えたものとした。
（１）瓶状ないしはボトル状をなす容器のキャップであって、
（２）筒上端を閉塞させ、筒下端を開放させた筒状をなすキャップ本体と、
（３）リング体とを備えており、
（４）キャップ本体は、筒状をなす容器上部にネジ付けられてこの容器上部の開放口を閉塞された筒上端によって塞ぐように構成されていると共に、
（５）キャップ本体とリング体とは、このキャップ本体及びリング体のいずれか一方を他方に先行させてプラスチックの射出成形により成形することによって、又は、キャップ本体の筒下端側からキャップ本体内にリング体をはめ入れることにより、このキャップ本体の筒下端側の内面にリング体の外面を密着させ、かつ、リング体の外面を案内としたキャップ本体の回転を許容させた状態で一体化されており、
（６）リング体は、リング内周部に、一端をこのリング内周部に一体に接合させると共に、他端に向かうに連れて次第にリング内周面から離れ出すように傾斜状に突き出した弾性翼片を有すると共に、
（７）リング外周部に、キャップ本体の筒下端に設けられると共にこの筒下端において下方に開放された割溝に入り込んでその一部をキャップ本体の外側に露出させた未開封状態を視認させる表示部とを有しており、
（８）容器上部へのキャップのネジ付け時には、この容器上部の基部側に形成された接触部に対しリング体の弾性翼片はその一端側の外面を先にして弾性変形しながら押し当てられ、リング体とキャップ本体との一緒になった回転が許容されるようにしてあると共に、
（９）一旦容器上部にネジ付けられたキャップを取り外す操作時には、前記接触部にリング体の弾性翼片の他端が突き当てられるようになっており、
（１０）この突き当たりによってリング体の回転が阻止されると共に、この突き当たり後のキャップ本体の回転に伴って生じる外力によって前記表示部における前記露出された一部が破断されるようになっている。
【０００７】
かかる構成によれば、容器上部にキャップをネジ付けるにあたっては、キャップ本体とリング体とが一緒に回転される。
【０００８】
一方、容器上部に一旦キャップをネジ付けた後、このキャップを取り外す際には、リング体の回転が阻止され、リング体の外面を案内としてキャップ本体のみが回転される。
【０００９】
容器上部に初めてキャップをネジ付ける場合には、容器上部の接触部をリング体に設けた弾性翼片が順次乗り越えることから、キャップを構成するキャップ本体とリング体とは一緒に回転され、従って、表示部は破断されることがない。
一方、このように容器上部にネジ付けられたキャップを初めて取り外す操作を行うと、容器上部の接触部にリング体に設けた弾性翼片が突き当たりこの突き当たり位置を越えたリング体の回転は阻止され、キャップ本体のみがその先の回転を許容されることになることから、前記割溝に一部を入り込ませた表示部はこのキャップ本体の回転に伴って破断される。この表示部の破断により、キャップ本体の外側に表示部が露出しなくなってしまうことから、容器上部からキャップが既に少なくとも一回取り外されていること、つまり、容器が既に開封されていることを容易に認識させることができる。
【００１０】
また、リング体とキャップ本体とは常時一体化されていることから、容器破棄時などにおいてはキャップを取り外すだけで、キャップと容器との分別を確保させることができ、かかる容器とキャップとの分別の要請を容易に満足させることができる。
【００１１】
また、請求項２記載の発明にあっては、請求項１記載の瓶状ないしはボトル状をなす容器のキャップにおけるキャップ本体の筒下端側の内面部及びリング体の外面部であって表示部の形成位置よりも上方となる位置のいずれか一方に、周回溝及びこの周回溝に納まってリング体の脱落を阻止する掛合突部のいずれか一方が形成されていると共に、
キャップ本体の筒下端側の内面部及びリング体の外面部であって表示部の形成位置よりも上方となる位置の他方に、周回溝及びこの周回溝に納まってリング体の脱落を阻止する掛合突部の他方が形成されていることを特徴としている。
【００１２】
かかる構成によれば、リング体の外面を案内としたキャップ本体の回転を可能とした状態で、かかるリング体とキャップ本体とを適切に一体化させることができる。
【００１３】
また、請求項３記載の発明にあっては、請求項１又は請求項２記載の瓶状ないしはボトル状をなす容器のキャップにおけるキャップ本体とリング体とが異なる色彩を持つようにしてあることを特徴としている。
【００１４】
かかる構成によれば、表示部の一部が破断されているかどうか、つまり、キャップが容器上部から少なくとも一度取り外されたかどうかを、より容易に認識させることができる。
【００１５】
また、請求項４記載の発明にあっては、請求項１から請求項３のいずれか１項に記載の瓶状ないしはボトル状をなす容器のキャップにおける表示部が、頭部と頸部とを備え頸部をこのリング外周部に一体に接合させると共に、キャップ本体の筒下端において下方に開放された割溝にこの頸部を入れ込ませて頭部をキャップ本体の外側に露出させるように構成されていることを特徴としている。
【００１６】
かかる構成によれば、容器上部からのキャップの最初の取り外しにあたり、リング体の前記回転阻止後のキャップ本体の回転によってキャップ本体の割溝縁を頸部に食い込ませるようにして抵抗少なくこの頭部を破断される表示部の一部として破断させることができる。
【００１７】
【発明の実施の形態】
以下、図１ないし図１１に基づいて、この発明の典型的な実施の形態について説明する。
【００１８】
なお、ここで図１は、この実施の形態にかかるキャップＣｐを容器Ｙの容器上部Ｙａに最初に取り付けた状態を、また、図２は、かかる状態におけるキャップＣｐの要部を断面の状態として示している。また、図３は、図２の状態からキャップＣｐを容器上部Ｙａから取り外す向きに回転操作、つまり、捻り回し始めた状態を、また、図４は、図３の状態からさらにキャップＣｐに捻回力が作用されて容器上部Ｙａに形成させた接触部ＹｄにキャップＣｐを構成するリング体２の弾性翼片２１が突き当てられてこのリング体２の回転が阻止されると共に、このリング体２の外面２０を案内にしてキャップ本体１が回転され、このキャップ本体１の回転によって表示部２３の一部２３ａが破断された状態を、それぞれ示している。
【００１９】
また、図５は、キャップＣｐを構成するキャップ本体１とリング体２とを分離させた状態として示しており、また、図６ないし図８は、かかるキャップＣｐを、また、図９ないし図１１はリング体２２をそれぞれ表している。
【００２０】
この実施の形態にかかるキャップＣｐは、瓶状ないしはボトル状をなす容器Ｙの容器上部Ｙａにネジ付けられて、この容器上部Ｙａの開放口Ｙｂを封止すると共に、ネジ付けられたキャップＣｐの最初の取り外し操作に伴って、キャップＣｐの一部を分離させて、その後はこの容器Ｙが既に開封されたものであることを確実に認識させる機能を備えたものである。
【００２１】
具体的には、かかるキャップＣｐは、先ず、容器Ｙに封入物を入れ込ませた後、この容器Ｙの容器上部ＹａにキャップＣｐをネジ付けることにより、この容器上部Ｙａの開放口Ｙｂを封止するようになっている。
【００２２】
次いで、このようにキャップＣｐがネジ付けられた容器Ｙの使用者において、このキャップＣｐの最初の取り外し操作がなされることを契機として、キャップＣｐの一部を分離させて、容器上部ＹａからキャップＣｐが少なくとも一度取り外されたことを認識させるようになっている。
【００２３】
また、このキャップＣｐの最初の取り外し操作後は、何回でも、容器上部ＹａへのキャップＣｐのネジ付け、取り外しをなし得るが、前記のようにキャップＣｐの一部が既に分離されたこと、つまり、既に少なくとも一回はキャップＣｐの開封操作がされていることを、常時、外部から容易に認識できるようになっている。
【００２４】
かかる容器Ｙとしては、各種食品、調味料、飲料、薬品などの包装用の瓶状ないしボトル状をなす容器Ｙが予定される。したがってまた、前記容器上部Ｙａの開放口Ｙｂとしては、瓶口ないしはボトル口を予定するものである。また、かかる容器Ｙとしては、ガラス製、陶磁器製、金属製、プラスチック製などの各種の材料よりなす容器Ｙを予定するものである。
【００２５】
かかるキャップＣｐは、キャップ本体１と、リング体２とから構成されている。そして、前記容器上部Ｙａからの最初のキャップＣｐの取り外し操作に伴って、かかるリング体２の一部がキャップ本体１と分離されるようになっている。
【００２６】
かかるキャップＣｐは、筒状をなす容器上部Ｙａにネジ付けられるように構成されている。すなわち、前記キャップ本体１は、その内側に容器上部Ｙａを納めさせるように構成されていると共に、前記リング体２もその内側に容器上部Ｙａを納めさせるように構成されている。
【００２７】
筒状をなす容器上部Ｙａの上端に前記開放口Ｙｂが形成され、従って、この筒状をなす容器上部Ｙａの下部は容器Ｙの主体部に一体に連接されて全体として上端に開放口Ｙｂを備えた容器Ｙが形成される。
【００２８】
キャップ本体１は、筒上端を閉塞させ、筒下端を開放させた筒状をなすように構成される。
【００２９】
図示の例にあっては、かかるキャップ本体１は、略円筒状をなすように構成されている。
【００３０】
また、図示の例にあっては、キャップ本体１の筒下端には、この筒下端とキャップ本体１の内方に向けられた側において開放された周回状凹部１０が形成されている。そして、かかるキャップ本体１は、かかる周回状凹部１０によって、その内部に下方に向いた周回状段差面１１を有している。
【００３１】
そして、図示の例にあっては、このように構成されたキャップ本体１に対し、リング体２が、リング体２におけるキャップ本体１の筒上端に向けられた端面を周回状段差面１１に密着させ、かつ、リング体２の外面２０、つまり、外周面を、周回状凹部１０の底面１０ａに密着させた状態で、リング体２の外面２０を案内としたキャップ本体１の回転を許容させた状態で一体化されている。
【００３２】
また、キャップ本体１の周回状凹部１０の形成位置より上方に位置される内周面には、キャップ本体１の筒軸を巡る螺旋状をなす雌ネジ部１２が形成されており、キャップ本体１は、容器上部Ｙａの外周面に形成されたこの容器上部Ｙａの筒軸を巡る向きの雄ネジ部Ｙｃにこの雌ネジ部１２を噛み合わせることにより、容器上部Ｙａにネジ付けられるようになっている。
【００３３】
一方、リング体２は、図示の例にあっては、短寸の筒状をなすように構成されている。具体的には、かかるリング体２は、その筒軸方向の最大寸法を、前記キャップ本体１の周回状段差面１１とこのキャップ本体１の筒下端縁との間の寸法よりやや小さくさせるように構成されている。
【００３４】
リング体２は、リング内周部に、一端２１ａをこのリング内周部に一体に接合させると共に、他端２１ｂに向かうに連れて次第にリング内周面から離れ出すように傾斜状に突き出した弾性翼片２１を有している。
【００３５】
図示の例では、かかる弾性翼片２１は、四つ設けられている。各弾性翼片２１、２１…は、リング体２の円周方向において隣り合う弾性翼片２１、２１との間にほぼ等しい間隔を開けるようにして設けられている。また、図示の例では、各弾性翼片２１、２１…は、リング体２の上下方向の寸法内に納まる幅寸法を持つように構成されている。具体的には、各弾性翼片２１、２１…は、その一端２１ａ側においてリング体２の上下方向の寸法とほぼ等しい幅寸法を持つと共に、その他端２１ｂ側に向けて次第にこの幅寸法を狭めるように形成された板片状をなすように構成されている。
【００３６】
また、図示の例では、リング体２は、その内周部に、四カ所の凹部２２を備えている。各凹部２２、２２…は、リング体２の上下端とリング体２の内方に向けられた側において開放されている。また、各凹部２２、２２…は、リング体２の円周方向において隣り合う凹部２２、２２との間にほぼ等しい間隔を開けるようにして設けられている。そして、図示の例にあっては、このように形成された凹部２２における向き合った凹部側壁の一方の上端に、前記弾性翼片２１の一端を一体に接合させるようにして、リング体２の内周部に弾性翼片２１を備えさせるようにしている。
【００３７】
また、図示の例にあっては、かかる凹部２２における向き合った凹部側壁間の間隔が弾性翼片２１の突き出し寸法とほぼ等しくなるようにしてあり、容器上部ＹａへのキャップＣｐのネジ付け時には、容器上部Ｙａに形成された接触部Ｙｄに接して弾性変形させられた弾性翼片２１が後述するようにこの凹部２２に入り込むようになっている。
【００３８】
各弾性翼片２１、２１…は、いずれも、リング体２の内周部から同じ向きに突き出すように形成されている。具体的には、各弾性翼片２１、２１…は、容器上部ＹａにキャップＣｐをネジ付けるにあたってのキャップＣｐの回転先側となる側に、その一端２１ａを位置させ、この回転後側となる側に他端２１ｂを向け、かつ、この一端２１ａから他端２１ｂに向かうに連れて、次第にリング体２の内周面から内外面を共に離れ出させるようにして設けられている。また、各弾性翼片２１、２１…は、容器上部ＹａにキャップＣｐをネジ付け切った状態において、その他端２１ｂを容器上部Ｙａの外周面に常時圧接させるように弾性変形されるようになっている。
【００３９】
ここで容器上部Ｙａの基部、つまり、容器上部Ｙａにおける容器本体とこの容器上部Ｙａとの接合側の外面部には、容器上部ＹａにキャップＣｐをネジ付け切った位置で、リング体２のリング内周面に突き当たる突き出し幅を持つと共に、この容器上部Ｙａの上下方向に沿って長く延びるように形成されたリブ状突部Ｙｄａが形成されている。
【００４０】
図示の例では、かかるリブ状突部Ｙｄａは、容器上部Ｙａの基部に四カ所設けられている。また、各リブ状突部Ｙｄａ、Ｙｄａ…は、容器上部Ｙａの円周方向において、隣り合うリブ状突部Ｙｄａ、Ｙｄａとの間にほぼ等しい間隔を開けるようにして形成されている。そして、容器上部ＹａへのキャップＣｐのネジ付け、および、この容器上部ＹａからのキャップＣｐの取り外しにあたって、かかるリブ状突部Ｙｄａに弾性翼片２１が接触するようになっている。すなわち、図示の例では、かかるリブ状突部Ｙｄａが前記接触部Ｙｄとして機能するようになっている。
【００４１】
これにより図示の例にあっては、容器上部ＹａへのキャップＣｐのネジ付け時には、この容器上部Ｙａの基部側に形成された接触部Ｙｄに対しリング体２の弾性翼片２１はその一端２１ａ側の外面２１ｃを先にして弾性変形しながら押し当てられ、リング体２とキャップ本体１との一緒になった回転が許容されるようにしてあると共に、
一旦容器上部Ｙａにネジ付けられたキャップＣｐを取り外す操作時には、この容器上部Ｙａの基部側に形成された接触部Ｙｄにリング体２の弾性翼片２１の他端２１ｂが突き当てられ、この突き当たりによってリング体２の回転が阻止されるようになっている。
【００４２】
この結果、この実施の形態にかかるキャップＣｐにあっては、容器上部ＹａにキャップＣｐをネジ付けるにあたっては、キャップ本体１とリング体２とが一緒に回転される。
【００４３】
一方、容器上部Ｙａに一旦キャップＣｐをネジ付けた後、このキャップＣｐを取り外す際には、リング体２の回転が阻止され、リング体２の外面２０を案内としてキャップ本体１のみが回転される。
【００４４】
図示の例にあっては、容器上部ＹａにキャップＣｐをネジ付けるにあたっては、弾性翼片２１はリブ状突部Ｙｄａに対しその一端２１ａ側の外面を先にして接触し、このように接触される弾性翼片２１はリング体２の内周面に近づく向きに弾性変形されることから、このネジ付けにあたり弾性翼片２１はリブ状突部Ｙｄａを順次乗り越える。よって、キャップ本体１とリング体２とは一緒に回転される。図示の例にあっては、このように弾性変形される弾性翼片２１は、一つのリブ状突部Ｙｄａを乗り越えるまでの間、リング体２の内周部に形成された前記凹部２２に入り込むようになっており、ネジ付け操作の抵抗が少なくなるようになっている。また、図示の例にあっては、リブ状突部Ｙｄａの両側部のうち、かかるネジ付け時に弾性翼片２１の一端側に最初に突き当てられる側部が、このリブ状突部Ｙｄａの突き出し端に向かうに連れてこのリブ状突部Ｙｄａを細める向きに傾斜した傾斜面Ｙｄｂとなっており、かかる弾性翼片２１をスムースに弾性変形させることができるようにしてある。
【００４５】
一方、容器上部Ｙａに一旦ネジ付けたキャップＣｐを取り外す際には、弾性翼片２１の他端２１ｂがリブ状突部Ｙｄａに突き当てられることから、リング体２の回転が阻止され、リング体２の外面２０を案内としてキャップ本体１のみが回転されることとなる。
【００４６】
また、リング体２は、リング外周部に、キャップ本体１の筒下端に設けられると共にこの筒下端において下方に開放された割溝に入り込んでその一部２３ａをキャップ本体１の外側に露出させた未開封状態を視認させる表示部２３を有している。
【００４７】
図示の例にあっては、リング体２の外周部であって、隣り合う弾性翼片２１、２１の間となる箇所にそれぞれ、この外周部から突き出す突部状をなす表示部２３が形成されている。それと共に、キャップ本体１に、この表示部２３を開放された下方から入れ込ませるようにして入り込ませた割溝１３が形成されている。
【００４８】
そして、一旦容器上部Ｙａにネジ付けられたキャップＣｐを取り外す操作時における接触部Ｙｄへのリング体２の弾性翼片２１の他端２１ｂの突き当たりによってリング体２の回転が阻止されることによって生じる外力、つまり、この突き当たり後にリング体２の外面２０を案内として回転されるキャップ本体１のこの回転に伴って生じる外力によって前記表示部２３における前記露出された一部２３ａが破断されるようになっている。
【００４９】
容器上部Ｙａに初めてキャップＣｐをネジ付ける場合には、容器上部Ｙａの接触部Ｙｄをリング体２に設けた弾性翼片２１が順次乗り越えることから、キャップＣｐを構成するキャップ本体１とリング体２とは一緒に回転され、従って、表示部２３は破断されることがない。
【００５０】
一方、このように容器上部Ｙａにネジ付けられたキャップＣｐを初めて取り外す操作を行うと、容器上部Ｙａの接触部Ｙｄにリング体２に設けた弾性翼片２１が突き当たりこの突き当たり位置を越えたリング体２の回転は阻止され、キャップ本体１のみがその先の回転を許容されることになることから、前記割溝１３に一部を入り込ませた表示部２３はこのキャップ本体１の回転に伴って破断される。この表示部２３の破断により、キャップ本体１の外側に表示部２３が露出しなくなってしまうことから、容器上部ＹａからキャップＣｐが既に少なくとも一回取り外されていること、つまり、容器が既に開封されていることを容易に認識させることができる。
【００５１】
初めて容器上部Ｙａから取り外したキャップＣｐを再び容器上部Ｙａにネジ付ける際には、前記同様キャップ本体１とリング体２とは一緒に回転される。このようにネジ付けたキャップＣｐを再度容器上部Ｙａから取り外す際には、リング体２は再びその弾性翼片２１を接触部Ｙｄに突き当てる位置から先には回転されないが、弾性翼片２１は前記のようなリブ状突部Ｙｄａの側部にその他端を突き当てさせているだけなので、キャップ本体１は回転しながらリング体２共々容器上部Ｙａの雄ネジ部に案内されて上方に移動され容器上部Ｙａから再びリング体２と分離することなく取り外される。
【００５２】
また、リング体２とキャップ本体１とは常時一体化されていることから、容器破棄時などにおいてはキャップＣｐを取り外すだけで、キャップＣｐと容器Ｙとの分別を確保させることができ、かかる容器とキャップＣｐとの分別の要請を容易に満足させることができる。
【００５３】
キャップ本体１とリング体２とは、このキャップ本体１及びリング体２のいずれか一方を他方に先行させてプラスチックの射出成形により成形することによって、前記のように一体化される。
【００５４】
すなわち、キャップ本体１とリング体２とは、二色成形により、あるいはまた、キャップ本体１をインサートとしてのリング体２の射出成形により、または、リング体２をインサートとしてのキャップ本体１の射出成形により、前記のように一体化される。
【００５５】
あるいはまた、キャップ本体１とリング体２とは、キャップ本体１の筒下端側からキャップ本体１内にリング体２をはめ入れることにより、このキャップ本体１の筒下端側の内面にリング体２の外面２０を密着させ、かつ、リング体２の外面２０を案内としたキャップ本体１の回転を許容させた状態で一体化される。
【００５６】
また、この実施の形態にあっては、キャップ本体１の筒下端側の内面部に周回溝１４が形成されていると共に、
リング体２の外面２０部であって表示部２３の形成位置よりも上方となる位置に、この周回溝１４に納まってリング体２の脱落を阻止する掛合突部２４が形成されている。
【００５７】
かかる構成によれば、リング体２の外面２０を案内としたキャップ本体１の回転を可能とした状態で、かかるリング体２とキャップ本体１とを適切に一体化させることができる。
【００５８】
図示の例にあっては、キャップ本体１の周回状凹部１０の底面１０ａのうち、この底面１０ａと周回状段差面１１とが接し合う部分に、キャップ本体１の筒軸線を巡る向きに続く周回溝１４が形成されている。
【００５９】
それと共に、リング体２の外面部に、このリング体２の上端縁に沿うように長く延び、かつ、この外面部から突き出す掛合突部２４が形成されており、この掛合突部２４を前記周回溝１４に納め入れた状態で、キャップ本体１とリング体２とが前記のように一体化されている。
【００６０】
かかる構成によれば、キャップ本体１へのリング体２のはめ入れによって両者を一体化させるようにした場合に、両者の一体性をより安定的に確保させることができる。図示の例では、このようにする場合には、このはめ入れにあたりキャップ本体１及びリング体２の双方又はいずれか一方の側が弾性変形し、掛合突部２４が周回溝１４に入り込み可能となったリング体２のはめ入れ位置でのキャップ本体１側の弾性復帰によって、この周回溝１４に掛合突部２４が入り込むようになっている。
【００６１】
また、この実施の形態にあっては、リング体２の表示部２３を、頭部２３ｂと頸部２３ｃとを備え頸部２３ｃをこのリング外周部に一体に接合させると共に、キャップ本体１の筒下端において下方に開放された割溝１３にこの頸部２３ｃを入れ込ませるようにして頭部２３ｂをキャップ本体１の外側に露出させるように構成されたものとしている。
【００６２】
かかる構成によれば、容器上部ＹａからのキャップＣｐの最初の取り外しにあたり、リング体２の前記回転阻止後のキャップ本体１の回転によってキャップ本体１の割溝１３縁を頸部２３ｃに食い込ませるようにして抵抗少なくこの頭部２３ｂを破断される表示部２３の一部２３ａとして破断させることができる。
【００６３】
図示の例では、頭部２３ｂは、リング体２の円周方向に長まった板状をなすように構成されている。頸部２３ｃは、この頭部２３ｂの下縁部であって長さ方向ほぼ中程の位置に一端を一体に接合させ、かつ、リング体２の下端に他端を一体に接合させている。
【００６４】
また、図示の例では、割溝１３は、キャップ本体１の筒軸線方向に長く延びるように形成されており、このように形成された割溝１３に表示部２３の頸部２３ｃが入り込んでいる。
【００６５】
図示の例では、キャップ本体１の外面部において、割溝１３の入り口を囲うようにして窪み１５が形成されており、頭部２３ｂはこの窪み１５に納まった状態で、キャップ本体１の外側に露出されるようになっている。
【００６６】
キャップ本体１とリング体２とが異なる色彩を持つようにしておくこともある。
【００６７】
このようにした場合、表示部２３の一部２３ａが破断されているかどうか、つまり、キャップＣｐが容器上部Ｙａから少なくとも一度取り外されたかどうかを、より容易に認識させることができる。
【００６８】
【発明の効果】
この発明にかかるキャップによれば、廃棄時などにおけるキャップ側と容器側との分別を容易としながら、容器の開封の有無を確実に認識させることができる。
【図面の簡単な説明】
【図１】キャップＣｐ及び容器上部Ｙａの断面図
【図２】同要部平断面図
【図３】同要部平断面図
【図４】同要部平断面図
【図５】キャップＣｐの分離斜視図
【図６】キャップ本体１の一部破断側面図
【図７】同底面図
【図８】同断面図
【図９】リング体２の平面図
【図１０】同一部破断側面図
【図１１】同底面図
【符号の説明】
Ｃｐ  キャップ
Ｙ  容器
Ｙａ  容器上部
Ｙｂ  開放口
Ｙｄ  接触部
１  キャップ本体
１３  割溝
２  リング体
２０  外面
２１  弾性翼片
２１ａ  一端
２１ｂ  他端
２１ｃ  外面
２３  表示部
２３ａ  一部
【図１】
2005008174.tif 000003
【図２】
2005008174.tif 000004
【図３】
2005008174.tif 000005
【図４】
2005008174.tif 000006
【図５】
2005008174.tif 000007
【図６】
2005008174.tif 000008
【図７】
2005008174.tif 000009
【図８】
2005008174.tif 000010
【図９】
2005008174.tif 000011
【図１０】
2005008174.tif 000012
【図１１】
2005008174.tif 000013